(57)【要約】【課題】  片面に複数の記録層が積層配置された光記録媒体に情報を記録再生する光記録再生装置において、層間移行時における最適パワーの設定を迅速且つ円滑に行う。【解決手段】  レイヤー１、２に対するＯＰＣにて取得された最適パワーの設定値Ｐｗｐ１、Ｐｗｐ２から、層間パワー比率α＝Ｐｗｐ２／Ｐｗｐ１を求める。レイヤー１からレイヤー２への移行時（Ｓ２４：Ｙ）には、Ｒ−ＯＰＣにて調整されたレイヤー１の最終レーザパワーＰｗｒ１に層間パワー比率αを乗じてレイヤー２移行時のレーザパワーに設定し（Ｓ３２）、このパワーでレイヤー２に対する記録を開始する（Ｓ２８）。レイヤー１からレイヤー２への移行時にＯＰＣを行う必要がないため、レイヤー２への移行を迅速に行うことができる。また、層間パワー比率αにて補正を掛けるため、レイヤー２移行時のパワーを適正値に設定することができる。【選択図】    図７
2006164443.tif 000002
【特許請求の範囲】
【請求項１】
複数の記録層が積層方向に配された光記録媒体に情報を記録再生する光記録再生装置において、
記録層ｎと他の記録層ｍとの間の最適パワー比率αを求めるとともに、記録位置が前記記録層ｎから記録層ｍへと移行するとき、移行前のレーザパワーＰｗｎに前記最適パワー比率αに基づく比率補正を掛けたパワーを移行後のレーザパワーＰｗｍとして設定するレーザパワー設定手段を有する、
ことを特徴とする光記録再生装置。
【請求項２】
複数の記録層が積層方向に配された光記録媒体に情報を記録再生する光記録再生装置において、
記録層ｎと他の記録層ｍとの間の最適パワー格差ΔＰａを求めるとともに、記録位置が前記記録層ｎから記録層ｍへと移行するとき、移行前のレーザパワーＰｗｎに前記最適パワー格差ΔＰａに基づく格差補正を掛けたパワーを移行後のレーザパワーＰｗｍとして設定するレーザパワー設定手段を有する、
ことを特徴とする光記録再生装置。
【請求項３】
請求項１または２において、
レーザパワー設定手段は、記録層における記録領域開始位置と記録領域終了位置の間の最適パワー比率γをさらに求め、記録位置が前記記録層ｎから記録層ｍ間へと移行するとき、さらにこの最適パワー比率γに基づく比率補正を掛けて移行後のレーザパワーＰｗｍを求める、
ことを特徴とする光記録再生装置。
【請求項４】
請求項３において、
前記最適パワー比率γは、前記記録層ｎまたは記録層ｍにおける記録領域開始位置と記録領域終了位置の間の最適パワー比率である、
ことを特徴とする光記録再生装置。
【請求項５】
請求項１または２において、
レーザパワー設定手段は、記録層における記録領域開始位置と記録領域終了位置の間の最適パワー格差ΔＰｂをさらに求め、記録位置が前記記録層ｎから記録層ｍ間へと移行するとき、さらにこの最適パワー格差ΔＰｂに基づく格差補正を掛けて移行後のレーザパワーＰｗｍを求める、
ことを特徴とする光記録再生装置。
【請求項６】
請求項５において、
前記最適パワー格差ΔＰｂは、前記記録層ｎまたは記録層ｍにおける記録領域開始位置と記録領域終了位置の間の最適パワー比率である、
ことを特徴とする光記録再生装置。
【発明の詳細な説明】
【技術分野】
【０００１】
本発明は、光記録再生装置に関し、特に、層方向に複数の記録層が配された光記録媒体に情報を記録再生する際に用いて好適なものである。
【背景技術】
【０００２】
現在、ＣＤ（Compact Disc）やＤＶＤ（Digital Versatile Disc）等、様々な光記録メディアが商品化され普及している。これら記録メディアのうち、ＣＤ−Ｒ、ＤＶＤ−Ｒ等の追記型メディアや、ＣＤ−ＲＷ、ＤＶＤ−ＲＷ等の書き換え型メディアでは、レーザパワーを最適値に設定する処理（ＯＰＣ：Optimum Write Power Control）が行われた後に、記録動作が実行される。たとえば、ＣＤ−ＲやＤＶＤ−Ｒにおいては、β法に従ってパワー設定（ＯＰＣ）が行われる（特許文献１）。すなわち、予めディスク上に設定されたパワー調整エリアに所定パワーにて試し書きが行われ、その再生ＲＦ信号（アシンメトリ）からβ値を求め、求めたβ値と、当該ディスクにて要求される目標β値（βｔ）とを比較して、記録時の最適パワーが設定される。
【０００３】
図１３にβ値の算出方法を示す。図示の如く、β値は、基準電位Ｉrefに対するアシンメトリの振幅値Ｉtop、Ｉbtmから、β＝（Ｉtop＋Ｉbtm）／（Ｉtop−Ｉbtm）を演算することにより求められる。
【０００４】
試し書き時のレーザパワーは、初期値として、予めディスクのリードインに記録されている初期パワー、あるいは、ドライブ側にて予め設定しておいた初期パワーに設定される。この初期パワーＰｗ１にて試し書きを行ってβ値を取得し、取得したβ値と目標値βｔとを比較して、次の試し書きにて用いられるレーザパワーＰｗ２が求められる。そして、求めたパワーＰｗ２にて再度試し書きを行ってさらにβ値が取得される。
【０００５】
試し書き回数が２回の場合には、図１４に示すように、パワーＰｗ１、Ｐｗ２にて試し書きを行い、そこで得られたβ１、β２を直線近似し、この近似直線上、βｔを与えるレーザパワーが求められる。求めたレーザパワーは、そのまま最適レーザパワーとして設定されるか、あるいは、このパワーを最適レーザパワーとして設定できるかの検証が行われる。かかる検証においては、再度、このレーザパワーにて試し書きが行われ、これを再生したときのエラーレートが取得される。そして、このエラーレートが閾値よりも小さいかの判別が行われ、閾値よりも小さいときに、このレーザパワーが最適レーザパワーとして設定される。しかる後、設定された最適レーザパワーにて記録動作が開始される。
【０００６】
しかし、記録動作期間中においては、ディスクや半導体レーザの環境変化等によって、記録レーザパワーを調整する必要が生じる。たとえば、上述のＣＤ−ＲやＤＶＤ−Ｒ等では、記録層材料として有機色素が用いられているため、波長の変化に応じて記録層の反射率が変化する。一方、半導体レーザは、点灯後の時間経過とともに温度が上昇し、これに応じて、出射レーザ光の波長がシフトする。このため、ＣＤ−ＲやＤＶＤ−Ｒ等、波長依存性をもつ記録メディアでは、点灯後の波長変動に応じて、記録パワーを動的に変化させる処理が行われる（Ｒ−ＯＰＣ：Running Optimum Write Power Control）。
【０００７】
これに対し、以下に示す特許文献２には、記録中のＲＦ信号をもとに、記録パワーの設定値を動的に変化させる技術が記載されている。
【０００８】
図１５は、記録信号と、記録中に検出されるＲＦ信号の関係を示すものである。図において、記録信号のスペース部分では、再生パワーレベルにてレーザ光が記録層に照射され、マーク部分において、レーザパワーが記録パワーレベルに立ち上げられる。しかし、記録パワーの立ち上がり直後にはマークは形成されないため、記録パワーレベルのレーザ光をスペース部分に照射したときと同じ反射光量（ＲＦ信号）が得られる。その後、記録層の温度上昇とともにマークが形成され始めると、これに応じて、反射光レベル（ＲＦ信号）が立下がり、次第に、マーク形成後の反射光レベル（ＲＦ信号）へと遷移する。
【０００９】
ここで、記録パワーの立ち上がり直後の反射光レベル（図中、スペースレベル）とマーク部分の反射光レベル（図中、マークレベル）が分かれば、反射光強度の変調度を計算出来、記録中にリアルタイムで記録マークの形成状態を監視することができる。そこで、特許文献２は、これらスペースレベルとマークレベルを記録中のＲＦ信号から検出し、反射光強度の変調度をもとに、記録レーザパワーを調整している（Ｒ−ＯＰＣ）。
【００１０】
ところで、最近、片面に複数の記録層が配されたディスクが開発され商品化されている。たとえば、以下の特許文献３には、２つの記録層が片面に配されたＤＶＤ−Ｒとそのドライブ装置が記載されている。
【特許文献１】特開２００２−２６０２３０号公報
【特許文献２】特許第３０９６２３９号公報
【特許文献３】特開２００３−３４６３４８号公報
【発明の開示】
【発明が解決しようとする課題】
【００１１】
このようにディスク片面に複数の記録層が配されている場合、それぞれの記録層について最適レーザパワーの設定処理（ＯＰＣ）と記録動作中におけるパワー調整処理（Ｒ−ＯＰＣ）を行う必要がある。
【００１２】
しかし、この場合、第１の記録層から第２の記録層に跨って連続的に情報が記録される場合があり、第２の記録層への移行時に、レーザパワーをどのように設定するかの調整が必要となる。ＣＤ−ＲやＤＶＤ−Ｒでは、各層の記録特性が均衡するよう設計することが推奨されているが、常に、各層の記録特性が均衡しているとは限らない。各層の記録特性が均衡していない場合、第１の記録層の最終位置にて適用されたレーザパワー設定値（Ｒ−ＯＰＣによるもの）を第２の記録層への移行時に適用すると、第２の記録特性に整合せず、記録状態が粗悪になってしまう惧れがある。一方、第２の記録層への移行時に、第２の記録層に対するＯＰＣを実行する方法も採り得るが、こうすると、第１の記録層から第２の記録層への移行時にタイムラグが生じ、ビデオデータやオーディオデータ等のリアルタイムデータを、当該移行時に円滑に記録できない惧れがある。
【００１３】
そこで、本発明は、かかる問題を解消し、記録層の移行時においても最適パワーの設定処理を迅速且つ円滑に行い得る光記録再生装置を提供することを課題とする。
【課題を解決するための手段】
【００１４】
上記課題に鑑み本発明は、それぞれ以下の特徴を有する。
【００１５】
請求項１の発明は、複数の記録層が積層方向に配された光記録媒体に情報を記録再生する光記録再生装置において、記録層ｎと他の記録層ｍとの間の最適パワー比率αを求めるとともに、記録位置が前記記録層ｎから記録層ｍへと移行するとき、移行前のレーザパワーＰｗｎに前記最適パワー比率αに基づく比率補正を掛けたパワーを移行後のレーザパワーＰｗｍとして設定するレーザパワー設定手段を有することを特徴とする。
【００１６】
請求項２の発明は、複数の記録層が積層方向に配された光記録媒体に情報を記録再生する光記録再生装置において、記録層ｎと他の記録層ｍとの間の最適パワー格差ΔＰａを求めるとともに、記録位置が前記記録層ｎから記録層ｍへと移行するとき、移行前のレーザパワーＰｗｎに前記最適パワー格差ΔＰａに基づく格差補正を掛けたパワーを移行後のレーザパワーＰｗｍとして設定するレーザパワー設定手段を有することを特徴とする。
【００１７】
請求項３の発明は、請求項１または２に記載の光記録再生装置において、前記レーザパワー設定手段は、記録層における記録領域開始位置と記録領域終了位置の間の最適パワー比率γをさらに求め、記録位置が前記記録層ｎから記録層ｍ間へと移行するとき、さらにこの最適パワー比率γに基づく比率補正を掛けて移行後のレーザパワーＰｗｍを求めることを特徴とする。
【００１８】
ここで、前記最適パワー比率γは、請求項４に記載のように、前記記録層ｎまたは記録層ｍにおける記録領域開始位置と記録領域終了位置の間の最適パワー比率であるとするのが好ましい。こうすると、移行後の記録層ｍにおけるレーザパワーをより適正なものとすることができる。
【００１９】
請求項５の発明は、請求項１または２に記載の光記録再生装置において、前記レーザパワー設定手段は、記録層における記録領域開始位置と記録領域終了位置の間の最適パワー格差ΔＰｂをさらに求め、記録位置が前記記録層ｎから記録層ｍ間へと移行するとき、さらにこの最適パワー格差ΔＰｂに基づく格差補正を掛けて移行後のレーザパワーＰｗｍを求めることを特徴とする。
【００２０】
ここで、前記最適パワー格差ΔＰｂは、請求項６に記載のように、前記記録層ｎまたは記録層ｍにおける記録領域開始位置と記録領域終了位置の間の最適パワー比率であるとするのが好ましい。こうすると、移行後の記録層ｍにおけるレーザパワーをより適正なものとすることができる。
【発明の効果】
【００２１】
本発明によれば、記録層ｎから記録層ｍへの移行時にＯＰＣを行う必要がないため、記録層ｍへの移行を迅速に行うことができる。よって、ビデオデータやオーディオデータ等のリアルタイムデータを記録する場合においても、記録層ｎから記録層ｍへの連続記録を円滑に行うことができる。また、移行前のレーザパワーＰｗｎに最適パワー比率αまたは最適パワー格差ΔＰａに基づく補正を掛けたパワーを移行後のレーザパワーＰｗｍに設定するようにしたため、記録層ｍに対する記録レーザパワーを最適パワーにずれなく設定することができる。よって、当該移行時における記録状態を良好なものに維持することができる。
【００２２】
さらに、請求項３ないし６に記載のように、記録層の記録領域開始位置と記録領域終了位置の間の最適パワー比率γまたは最適パワー格差ΔＰｂに基づく補正を掛けることにより、記録領域開始位置と記録領域終了位置の間に記録特性の相違があるような場合にも、記録レーザパワーを記録層ｍの記録領域開始位置における最適パワーにずれなく設定することができる。特に、請求項４または６のように、最適パワー比率γまたは最適パワー格差ΔＰｂを、記録層ｎまたは記録層ｍにおける記録領域開始位置と記録領域終了位置の間の最適パワー比率または最適パワー格差とすれば、移行後の記録層ｍにおけるレーザパワーをより適正なものとすることができる。
【００２３】
本発明の特徴ないし効果は、以下に示す実施形態の説明によって更に明らかとなろう。ただし、以下の実施形態は、あくまでも、本発明の一つの実施形態であって、本発明ないし各構成要件の用語の意義は、以下の実施の形態に記載されたものに制限されるものではない。
【００２４】
なお、本発明における各手段の機能は、以下の実施形態では、主として、コントローラ１１１にて達成されている。
【発明を実施するための最良の形態】
【００２５】
以下、本発明の実施形態につき図面を参照して説明する。なお、本実施形態は、片面に２層の記録層を備えたＤＶＤ＋Ｒに情報を記録再生する光ディスク装置に本発明を適用したものである。
【００２６】
まず、図１に実施形態に係る光ディスクの構成を示す。同図に示す如く、光ディスク１は、基板１１と、基板１１上に形成された第１の記録層１２と、第１の記録層１２上に形成された半透過反射層１３と、半透過反射層１３上に形成されたスペーサ１４と、スペーサ１４上に形成された第２の記録層１５と、第２の記録層１５上に形成された反射層１６と、反射層１６上に形成された保護層１７と、保護層１７上に形成された印刷層１８を具備している。
【００２７】
第１の記録層１２および第２の記録層１５には、内周から外周に向かって螺旋状のトラックが形成されており、このトラックに対してデータの記録再生が行われる。ここで、第１の記録層１２におけるトラックと第２の記録層１５におけるトラックは、巻き方向が逆になっている。第１の記録層１２および第２の記録層１５に対する情報の記録／再生時において、ディスクは同一方向に回転される。このとき、第１の記録層１２においては内周から外周方向に向かって記録が行われ、また、第２の記録層において外周から内周方向に向かって記録が行われる。
【００２８】
また、トラックは、径方向に蛇行（ウォブル）しており、このウォブルによってアドレス情報が保持されている。すなわち、ＡＤＩＰ（Address in pre-groove）と呼ばれる位相変調区間が、単調蛇行区間中に一定周期で挿入されており、かかる位相変調区間をビームが走査するとき、その反射光強度の変化からトラック上のアドレス情報が読み取られ再生される。また、リードインゾーンのＡＤＩＰには、当該ディスクに対する種々の制御データが位相変調によって記録されており、その中に、当該ディスクを製造したディスク製造業者の識別情報（マニュファクチャＩＤ）等が含まれている。
【００２９】
図２に、光ディスク１のエリアフォーマットを示す。
【００３０】
図示の如く、第１の記録層１２（レイヤー１）は、内周から外周方向に、インナードライブエリア１、リードインゾーン、データゾーン、ミドルゾーン１、アウタードライブエリア１に領域分割されている。また、第２の記録層１５（レイヤー２）は、内周から外周方向に、インナードライブエリア２、リードアウトゾーン、データゾーン、ミドルゾーン２、アウタードライブエリア２に領域分割されている。さらに、インナードライブエリア１、２とアウタードライブエリア１、２は、種々のゾーンに区分されており、このうち、インナーディスクテストゾーンおよびアウターディスクテストゾーンを用いて、レーザパワーの初期設定（ＯＰＣ）が行われる。
【００３１】
図３に、実施形態に係る光ディスク装置の構成を示す。
【００３２】
図示の如く、光ディスク装置は、ＥＣＣエンコーダ１０１と、変調回路１０２と、レーザ駆動回路１０３と、レーザパワー調整回路１０４と、光ピックアップ１０５と、信号増幅回路１０６と、復調回路１０７と、ＥＣＣデコーダ１０８と、サーボ回路１０９と、ＡＤＩＰ再生回路１１０と、コントローラ１１１とを具備している。
【００３３】
ＥＣＣエンコーダ１０１は、入力された記録データに対し誤り訂正符号の付加等のエンコード処理を施し、変調回路１０２へと出力する。変調回路１０２は、入力された記録データに所定の変調を施し、さらに記録信号を生成してレーザ駆動回路１０３に出力する。レーザ駆動回路１０３は、記録時には変調回路１０２からの記録信号に応じた駆動信号を半導体レーザ１０５ａに出力し、再生時には一定強度のレーザ光を出射するための駆動信号を半導体レーザ１０５ａに出力する。ここで、レーザパワーは、レーザパワー調整回路１０４によって調整・設定されたレーザパワーに設定される。
【００３４】
レーザパワー調整回路１０４は、コントローラ１１１からの設定値に応じて、記録および再生時のレーザパワーを初期設定（ＯＰＣ）するとともに、設定したレーザパワーを、コントローラ１１１から供給される調整値に応じて適宜調整（Ｒ−ＯＰＣ）し、これをレーザ駆動回路１０３に供給する。ここで、レーザパワーの初期設定（ＯＰＣ）は、当該ディスクの目標β値（βｔ）をもとに行われる。すなわち、コントローラ１１１は、当該ディスクのβ値（βt）を取得し、取得したβtをもとに、当該ディスクに対する記録レーザパワーを最適パワーに設定する。ＯＰＣの詳細については後述する。
【００３５】
また、レーザパワーの調整（Ｒ−ＯＰＣ）は、たとえば、上記図１５にて説明した如く、記録中のＲＦ信号からスペースレベルとマークレベルを検出して反射光強度の変調度を求め、求めた変調度が最適パワー時の変調度に追従するよう制御することにより行われる。
【００３６】
なお、記録時においては、段階的に複数の強度レベルを有するパルス状のレーザ光がトラック上に照射される。すなわち、レーザパワー調整回路１０４は、予め規定されたパルス波形（ストラテジ）のレーザ光が光ピックアップ１０５から出射されるようレーザ駆動回路１０３を制御する。レイヤー１とレイヤー２のストラテジは相違しており、これにより、レーザ光に対するレイヤー１とレイヤー２の感度が同一となるよう調整されている。レイヤー１およびレイヤー２のストラテジに関する情報は、上記リードインゾーンのＡＤＩＰに含まれている。レーザパワー調整回路１０４は、かかるストラテジ情報に応じて、記録動作時におけるレイヤー１とレイヤー２のストラテジを設定する。
【００３７】
光ピックアップ１０５は、半導体レーザ１０５ａおよび光検出器１０５ｂを備え、レーザ光をトラック上に収束させることにより、ディスクに対するデータの書き込み／読み出しを行う。なお、光ピックアップ１０５は、この他、トラックに対するレーザ光の照射状態を調整するための対物レンズアクチュエータと、半導体レーザ１０５ａから出射されたレーザ光を対物レンズに導き、且つ、ディスク１００からの反射光を光検出器１０５ｂに導くための光学系等を備えている。
【００３８】
信号増幅回路１０６は、光検出器１０５ｂから受信した信号を増幅および演算処理して各種信号を生成し、これを対応する回路に出力する。復調回路１０７は、信号増幅回路１０６から入力された再生ＲＦ信号を復調して再生データを生成し、ＥＣＣデコーダ１０８に出力する。ＥＣＣデコーダ１０８は、復調回路１０７から入力されたデータに対し誤り訂正等のデコード処理を施し、後段回路に出力する。
【００３９】
サーボ回路１０９は、信号増幅回路１０６から入力されたフォーカスエラー信号およびトラッキングエラー信号からフォーカスサーボ信号およびトラッキングサーボ信号を生成し、光ピックアップ１０５の対物レンズアクチュエータに出力する。また、信号増幅回路１０６から入力されたウォブル信号からモータサーボ信号を生成し、ディスク駆動モータに出力する。
【００４０】
ＡＤＩＰ再生回路１１０は、信号増幅回路１０６から入力されたウォブル信号からアドレス情報および各種コントロール情報を再生し、これらをコントローラ１１１に出力する。
【００４１】
コントローラ１１１は、内蔵メモリに各種データを格納するとともに、あらかじめ設定されたプログラムに従って、各部を制御する。
【００４２】
なお、コントローラ１１１には、マニュファクチャＩＤと目標β値（βt）とを対応付けたβ値テーブルが保持されている。コントローラ１１１は、当該ディスクのリードインゾーン（ＡＤＩＰ）から取得したマニュファクチャＩＤと、上記β値テーブルとを比較し、対応する目標β値（βt）を読み出してレーザパワー調整回路１０４に出力する。これをもとに、レーザパワー調整回路１０４は、記録レーザパワーの初期設定を行う。
【実施例１】
【００４３】
図４ないし図７に、記録動作時におけるＯＰＣおよびＲ−ＯＰＣの動作フローチャートを示す。
【００４４】
記録指令が入力されると、コントローラ１１１は、まず、図４に示すパワー設定処理（ＯＰＣ）を実行する。ここでは、まず、レイヤー１に対するＯＰＣが実行され（Ｓ１１）、レイヤー１の最適パワーＰｗｐ１が設定される（Ｓ１２）。次いで、レイヤー２に対するＯＰＣが実行され（Ｓ１３）、レイヤー２の最適パワーＰｗｐ２が設定される（Ｓ１４）。しかる後、レイヤー１とレイヤー２間の最適パワー比率（層間パワー比率）αが、α＝Ｐｗｐ２／Ｐｗｐ１を算出することによって求められる（Ｓ１５）。
【００４５】
図５および図６に、レイヤー１およびレイヤー２に対するＯＰＣの詳細を示す。
【００４６】
まず、図５を参照して、初期パワーの設定動作が開始されると、コントローラ１１１は、当該ディスクのマニュファクチャＩＤをもとにβ値テーブルから当該ディスクの目標β値（βｔ）を読み出す（Ｓ１０１）。なお、対応するマニュファクチャＩＤがβ値テーブルに含まれていない場合には、平均的なβ値をβ値テーブルから読み出す。β値テーブルには、このような場合に対処できるよう、汎用的に用いられる平均的なβ値が格納されている。
【００４７】
さらに、コントローラ１１１は、内臓メモリに予め格納されている初期パワーＰｗ０をレイヤー１に対するＯＰＣ動作時の最初のテストパワーＰｗ１１に設定し（Ｓ１０２）、このテストパワーＰｗ１１にて、レイヤー１のテストゾーン（通常は、インナーディスクテストゾーンを使用）にテストデータを書き込む（Ｓ１０３）。そして、書き込んだテストデータを再生してβ値を算出し、算出したβ値をβ１１として設定する（Ｓ１０４）。
【００４８】
しかる後、コントローラ１１１は、β１１と目標β値（βｔ）の差Δβを求め（Ｓ１０５）、求めたΔβがあらかじめ設定した閾値Δβｓよりも小さいかを判別する（Ｓ１０６）。ここで、｜Δβ｜≧βｓであれば、Δβの符号（正負）と大きさをもとに、最適パワーに近づく方向に、テストパワーＰｗ１１を再設定し（Ｓ１０７）、再設定後のテストパワーＰｗ１１にてＳ１０３以下の処理を繰り返す。
【００４９】
他方、｜Δβ｜＜βｓであれば、Δβの符号（正負）と大きさをもとに、次のテストパワーＰｗ１２を設定し（Ｓ１０８）、設定後のテストパワーＰｗ１２にて、上記と同様、レイヤー１のテストゾーンにテストデータを書き込む（Ｓ１０９）。そして、書き込んだテストデータを再生してβ値を算出し、算出したβ値をβ１２として設定する（Ｓ１１０）。
【００５０】
しかる後、コントローラ１１１は、上記図１４に示す如くして、β１１とβ１２を直線近似し、この近似直線上、目標β値（βｔ）を与えるレーザパワーを最適パワーＰｗｐとして算出する（Ｓ１１１）。次いで、このパワーＰｗｐにて、レイヤー１のテストゾーンにテストデータを書き込み（Ｓ１１２）、さらに、これを再生したときのエラーレートＥをＥＣＣデコーダ１０８から取得する（Ｓ１１３）。そして、取得したエラーレートＥが閾値Ｅｓ未満であるかを判別し（Ｓ１１４）、閾値Ｅｓ未満でなければ、Ｓ１０３に戻り、上記処理を繰り返す。一方、Ｅ＜Ｅｓであれば、パワーＰｗｐをレイヤー１の最適パワーＰｗｐ１に設定した後（Ｓ１１５）、レイヤー２のパワー設定処理に移行する。
【００５１】
図６を参照して、レイヤー２のパワー設定処理では、まず、先に求めたβ１、β２から、上記図１４に示す近似直線の傾きＩａを求める（Ｓ２０１）。次いで、上記レイヤー１の最適パワーＰｗｐ１をレイヤー２に対するＯＰＣ動作時のテストパワーＰｗ２１に設定し（Ｓ２０２）、このテストパワーＰｗ２１にて、レイヤー２のテストゾーン（通常は、インナーディスクテストゾーンを使用）にテストデータを書き込む（Ｓ２０３）。そして、書き込んだテストデータを再生してβ値を算出し、算出したβ値をβ２１として設定する（Ｓ２０４）。
【００５２】
しかる後、コントローラ１１１は、β２１と目標β値（βｔ）の差Δβを求め（Ｓ２０５）、求めたΔβがあらかじめ設定した閾値Δβｓよりも小さいかを判別する（Ｓ２０６）。ここで、｜Δβ｜≧βｓであれば、Δβの符号（正負）と大きさをもとに、最適パワーに近づく方向に、テストパワーＰｗ２１を再設定し（Ｓ２０７）、再設定後のテストパワーＰｗ２１にてＳ２０３以下の処理を繰り返す。
【００５３】
他方、｜Δβ｜＜βｓであれば、上記Ｓ２０１で求めた傾きＩａとβ２１から近似直線を求め、この近似直線上、目標β値（βｔ）を与えるレーザパワーを最適パワーＰｗｐとして算出する（Ｓ２０８）。次いで、このパワーＰｗｐにて、レイヤー２のテストゾーンにテストデータを書き込み（Ｓ２０９）、さらに、これを再生したときのエラーレートＥをＥＣＣデコーダ１０８から取得する（Ｓ２１０）。そして、取得したエラーレートＥが閾値Ｅｓ未満であるかを判別し（Ｓ２１１）、閾値Ｅｓ未満でなければ、Ｓ２０３に戻り、上記処理を繰り返す。一方、Ｅ＜Ｅｓであれば、パワーＰｗｐをレイヤー２の最適パワーＰｗｐ２に設定し（Ｓ２１２）、当該ディスクに対するＯＰＣ動作を終了する。
【００５４】
図６のフローチャートに従えば、レイヤー２に対するＯＰＣ動作において、近似直線の算出を１回のテスト記録のみで行えるため、レイヤー２に対するＯＰＣ処理の簡素化および迅速化を図ることができる。このとき、レイヤー１に対する最適パワーＰｗｐ１を初期パワーとしてβ値の取得を行うようにしたことから、β値の値を目標β値（βｔ）に接近させることができ、近似直線を所期の近似直線に近いものとすることができる。よって、上記のようにＯＰＣ時に１回のテスト記録のみしか行わなくとも、レイヤー２に対する最適パワー設定を円滑かつ良好に行うことができる。
【００５５】
以上のようにして、レイヤー１の最適パワーＰｗｐ１とレイヤー２の最適パワーＰｗｐ２を設定し、さらに、これらＰｗｐ１とＰｗｐ２から層間パワー比率αを求めた後、各レイヤーに対する記録動作が開始される。
【００５６】
図７は、かかる記録動作時の処理フローチャートを示すものである。
【００５７】
記録動作が開始されると、まず、リードインゾーンから管理情報が読み出され、記録開始位置がレイヤー１とレイヤー２の何れにあるかが判別される（Ｓ２１）。ここで、開始位置がレイヤー１にあれば、上記ＯＰＣにて取得されたレイヤー１の最適パワーＰｗｐ１がレイヤー１の記録パワーＰｗｒ１として設定された後（Ｓ２２）、レイヤー１上の記録開始位置から順次、情報の記録が行われる（Ｓ２３）。
【００５８】
しかして、レイヤー１に対する記録動作が開始されると、その後、逐次、レイヤー１の記録領域が使い尽くされたかが判別され（Ｓ２４）、使い尽くされていなければ、さらに、Ｒ−ＯＰＣによるレーザパワーＰｗｒ１の調整が行われる（Ｓ２５、Ｓ２６）。なお、Ｓ２３ないしＳ２６における記録動作期間中において、コントローラ１１１に記録動作の終了・中止等を示す指令コマンドが入力された場合には、これに応じて、レイヤー１に対する記録動作が終了される。この場合、Ｒ−ＯＰＣにて調整されたレーザパワーＰｗｒ１にて、当該記録に応じた管理情報がリードインゾーンに追記される。
【００５９】
上記Ｓ２１での判別により、記録開始位置がレイヤー２にあると判別された場合には、上記ＯＰＣにて取得されたレイヤー２の最適パワーＰｗｐ２がレイヤー２の記録パワーＰｗｒ２として設定された後（Ｓ２７）、レイヤー２上の記録開始位置から順次、情報の記録が行われる（Ｓ２８）。このとき、レイヤー２に対する記録が終了したかの判別が適宜行われる（Ｓ２９）。また、レイヤー２に対する記録開始後には、適宜、Ｒ−ＯＰＣによるレーザパワーＰｗｒ２の調整が行われる（Ｓ３０、Ｓ３１）。
【００６０】
また、上記Ｓ２４での判別により、レイヤー１の記録領域が使い尽くされたと判別されたときには、レイヤー２を用いた記録動作に移行される。このとき、レイヤー１のＯＰＣにて調整された最終のレーザパワーＰｗｒ１に上記層間比率αを乗じたパワーが算出され、算出されたパワーがレイヤー２における記録パワーＰｗｒ２として設定される（Ｓ３２）。そして、このパワーＰｗｒ２にて、レイヤー２に対する記録が開始される（Ｓ２８）。なお、この記録は、上記のように、レイヤー２の最外周位置から最内周位置に向かって行われる。
【００６１】
しかる後、Ｓ２９にて、レイヤー２に対する記録が終了したと判別されると、レイヤー１のリードインゾーンに対する管理情報の追記が行われる。このとき、レイヤー２のＯＰＣにて調整された最終のレーザパワーＰｗｒ２を上記層間比率αにて除算したパワーが算出され、算出されたパワーがレイヤー１のリードインゾーンに対する記録時のパワーＰｗｒ１に設定される（Ｓ３３）。そして、このパワーＰｗｒ１にて、レイヤー１のリードインゾーンに、当該記録に応じた管理情報が追記され（Ｓ３４）、当該記録動作が終了される。
【００６２】
本実施例によれば、レイヤー１からレイヤー２への移行時にＯＰＣを行う必要がないため、レイヤー２への移行を迅速に行うことができる。よって、ビデオデータやオーディオデータ等のリアルタイムデータを記録する場合においても、レイヤー１からレイヤー２への連続記録を円滑に行うことができる。また、レイヤー１の最終レーザパワーＰｗｒ１に層間比率αを乗じたパワーをレイヤー２移行時のレーザパワーＰｗｒ２に設定するようにしたため、レイヤー２に対する記録レーザパワーを最適パワーにずれなく設定することができる。よって、当該移行時における記録状態を良好なものに維持することができる。
【実施例２】
【００６３】
上記実施例１では、レイヤー１の最終レーザパワーＰｗｒ１に層間比率αを乗じてレイヤー２移行時のレーザパワーＰｗｒ２を求めるようにしたが、本実施例では、レイヤー１の最適パワーＰｗｐ１とレイヤー２の最適パワーＰｗｐ２の間のパワー格差ΔＰａを求め、このパワー格差をレイヤー１の最終レーザパワーＰｗｒ１に加算してレイヤー２移行時のレーザパワーＰｗｒ２を求めるようにしている。
【００６４】
図８に、パワー設定時の処理フローを示す。かかる処理フローでは、上記図４の処理フローにおけるＳ１５がＳ４１に置き換えられている。すなわち、Ｓ４１にて、レイヤー１の最適パワーＰｗｐ１とレイヤー２の最適パワーＰｗｐ２の間のパワー格差（層間パワー格差）ΔＰａが、ΔＰａ＝Ｐｗｐ２−Ｐｗｐ１として求められる。その他のステップは、上記図４と同様である。
【００６５】
図９に、記録動作時の処理フローチャートを示す。かかる処理フローでは、上記図７の処理フローにおけるＳ３２とＳ３３がＳ５１とＳ５２に置き換えられている。すなわち、Ｓ２４にてレイヤー１の記録領域が使い尽くされたと判別されると、Ｓ５１にて、レイヤー１の最終レーザパワーＰｗｒ１に層間パワー格差ΔＰａが加算されレイヤー２移行時のレーザパワーＰｗｒ２が設定される。そして、設定されたレーザパワーＰｗｒ２にてレイヤー２に対する記録が行われる（Ｓ２８）。その他のステップは、上記図７と同様である。
【００６６】
本実施例によれば、レイヤー１からレイヤー２への移行時にＯＰＣを行う必要がないため、上記実施例１と同様、レイヤー２への移行を迅速に行うことができる。よって、ビデオデータやオーディオデータ等のリアルタイムデータを記録する場合においても、レイヤー１からレイヤー２への連続記録を円滑に行うことができる。ただし、レイヤー２に対する記録レーザパワーを最適パワーにずれなく設定するためには、本実施例のように層間パワー格差ΔＰａを加算する方法よりも、上記実施例１のように層間パワー比率αを乗じる方が好ましいものと想定される。
【実施例３】
【００６７】
上記実施例１、２では、図２に示す如く、記録位置がレイヤー１のデータゾーン（記録領域）の最外周位置まで達すると、レイヤー２のデータゾーンの最外周位置にスキップし、ここから内周方向に向かってデータを記録するものであった。しかし、図１０に示す如く、記録位置がレイヤー１のデータゾーン（記録領域）の最外周位置まで達すると、レイヤー２のデータゾーンの最内周位置にスキップし、ここから外周方向に向かってデータを記録するタイプの光ディスクも想定され得る。かかる光ディスクにおいては、記録動作時の回転方向が同じであれば、レイヤー１のトラックとレイヤー２のトラックはその巻き方向が同一となる。
【００６８】
本実施例は、このような光ディスクに対して情報を記録再生する光ディスク装置に本発明を適用した場合の形態を例示するものである。
【００６９】
図１１に、パワー設定時の処理フローを示す。
【００７０】
かかる処理フローでは、上記図４の処理フローにおけるＳ１５に続いてＳ６１〜Ｓ６３が追加されている。すなわち、レイヤー１とレイヤー２のインナーディスクテストゾーンを用いてＯＰＣが実行され（Ｓ１１〜Ｓ１４）、かかるＯＰＣにて求められた最適レーザパワーＰｗｐ１inおよびＰｗｐ２inをもとに層間パワー比率αが求められた後（Ｓ１５）、さらに、レイヤー２のアウターディスクテストゾーンを用いてＯＰＣが実行され（Ｓ６１）、最適レーザパワーＰｗｐ２outが求められる（Ｓ６２）。そして、レイヤー２の最適レーザパワーＰｗｐ２inとＰｗｐ２outをもとにγ＝Ｐｗｐ２out／Ｐｗｐ２inが演算され、内外パワー比率γが求められる（Ｓ６３）。
【００７１】
図１２に、記録動作時の処理フローチャートを示す。かかる処理フローでは、上記図７の処理フローにおけるＳ３２がＳ７１に置き換えられている。すなわち、Ｓ２４にてレイヤー１の記録領域が使い尽くされたと判別されると、Ｓ７１にて、レイヤー１の最終レーザパワーＰｗｒ１に層間パワー比率αを乗じ、さらに、これを内外パワー比率γで除算してレイヤー２移行時のレーザパワーＰｗｒ２が設定される。そして、設定されたレーザパワーＰｗｒ２にてレイヤー２に対する記録が行われる（Ｓ２８）。その他のステップは、上記図７と同様である。
【００７２】
本実施例によれば、レイヤー１からレイヤー２への移行時にＯＰＣを行う必要がないため、上記実施例１、２と同様、レイヤー２への移行を迅速に行うことができる。よって、ビデオデータやオーディオデータ等のリアルタイムデータを記録する場合においても、レイヤー１からレイヤー２への連続記録を円滑に行うことができる。
【００７３】
また、レイヤー１の最終レーザパワーＰｗｒ１に層間パワー比率αを乗じ、さらに、これを内外パワー比率γで除算したパワーをレイヤー２移行時のレーザパワーＰｗｒ２に設定するようにしたため、レイヤー２に対する記録レーザパワーを最適パワーにずれなく設定することができる。すなわち、本実施例では、記録パワーに対し内外パワー比率γでさらに補正を掛けているため、レイヤー２の内周部と外周部に記録特性の相違があるような場合にも、記録レーザパワーをレイヤー２の開始位置における最適パワーにずれなく設定することができる。よって、当該移行時における記録状態を良好なものに維持することができる。
【００７４】
なお、上記図９に示す如くレイヤー１の外周部からレイヤー２の内周部に記録位置がスキップする場合でも、レイヤー２における記録特性に大きな差がない場合には、内外パワー格差γによる補正を掛けなくとも、記録レーザパワーをレイヤー２の開始位置における最適パワーにそれ程ずれなく設定することができる。よって、この場合には、上記実施例１のように、層間パワー比率αのみを乗じてレイヤー２移行時のパワー設定を行うようにしても良い。
【００７５】
また、本実施例では、レイヤー１の最終レーザパワーＰｗｒ１に層間比率αを乗じ、さらに、これを内外パワー比率γで除算したパワーをレイヤー２移行時のレーザパワーＰｗｒ２に設定するようにした（Ｓ７１）が、上記実施例２のように層間パワー格差ΔＰａを用いる場合には、Ｓ７１における演算式を、Ｐｗｒ２＝（Ｐｗｒ１＋ΔＰａ）／γに変更すれば良い。
【００７６】
また、内外パワー比率γに代えて、内外パワー格差ΔＰｂ＝Ｐｗｐ２in−Ｐｗｐ２outを用いる場合には、Ｓ７１における演算式を、Ｐｗｒ２＝（Ｐｗｒ１×α）＋ΔＰｂに変更すれば良い。
【００７７】
また、本実施例では、レイヤー２における内外パワー比率γを求め、これをレイヤー２移行時のパワー設定に用いるようにしたが、レイヤー１における内外パワー比率γを求めてレイヤー２移行時のパワー設定に用いるようにすることもできる。
【００７８】
また、本実施例では、管理情報の記録のためにレイヤー２からレイヤー１に戻る場合は、内外パワー比率γを用いずに、レイヤー２における最終レーザパワーＰｗｒ２に層間パワー比率αで除算するのみとして管理情報記録時のパワーを求めるようにしたが、最終記録位置がレイヤー２におけるデータゾーンの終端近傍にある場合には、さらに内外パワー比率γを乗じて、内外周部間における記録特性の相違に対する補正を掛けるようにしても良い。また、Ｐｗｐ２inとＰｗｐ２outをもとに、径方向における内外パワー比率の遷移状態を近似し、近似した内外パワー比率γ（ｘ）（ｘ：径方向位置）から、レイヤー２における最終記録位置ｘｎにおける内外パワー比率γ（ｘｎ）を求め、求めた内外パワー比率γ（ｘｎ）を用いてＰｗｒ１＝（Ｐｗｒ２／α）×γ（ｘｎ）を演算して、管理情報記録時のレーザパワーＰｗｒ１を設定するようにしても良い。
【００７９】
なお、このような管理情報記録時における内外パワー比率γによる補正は、上記実施例１、２においても同様に適用され得る。ただし、この場合には、アウターディスクドライブゾーンを用いたＯＰＣをさらに実行して、内外パワー比率γまたはγ（ｘ）を求める処理が必要となる。
【００８０】
以上、本発明の実施形態ならびに実施例について説明したが、本発明は、これらに限定されるものではなく、他に種々の変更が可能である。
【００８１】
たとえば、上記では、ＤＶＤ＋Ｒとそれに対する光ディスク装置を例示したが、ＤＶＤ−ＲＷ等、他の光ディスクおよびその記録再生装置に本発明を適用することも勿論可能である。
【００８２】
また、上記では、図５および図６に示すＯＰＣ処理フローを用いたが、これ以外のＯＰＣ処理フローを用いることもできる。
【００８３】
また、上記では、記録層が片面に２層配された光ディスクを例示したが、記録層の数は２層に限定されるものではなく、３層以上の記録層が片面に配された光ディスクおよびその記録再生装置に本発明を適用することもできる。この場合、たとえば、層方向に隣り合う記録層間の層間パワー比率αまたは層間パワー格差ΔＰａを求め、これを用いて、層間移行時のパワー設定を行うようにする。さらに、上記実施例３のように層間移行時に外周部から内周部にスキップする光ディスクにおいては、各層の内外パワー比率γまたは内外パワー格差ΔＰｂを求め、層間パワー比率αまたは層間パワー格差ΔＰａと内外パワー比率γまたは内外パワー格差ΔＰｂを用いて、層間移行時のパワー設定を行うようにする。
【００８４】
さらに、一方の面にのみ記録層を有する光ディスクの他、貼り合わせ等によって両方の面に記録層が形成された光ディスクおよびその記録再生装置に本発明を適用することもできる。この他、エリアフォーマットや各層におけるトラックの巻き方向等も上記実施形態に限定されるものではない。
【００８５】
本発明の実施の形態は、特許請求の範囲に示された技術的思想の範囲内において、適宜、種々の変更が可能である。
【図面の簡単な説明】
【００８６】
【図１】実施形態に係る光ディスクの構成を示す図
【図２】実施形態に係る光ディスクのエリアフォーマットを示す図
【図３】実施形態に係る光ディスク装置の構成を示す図
【図４】実施例１に係るパワー設定処理を示すフローチャート
【図５】実施例１に係るレイヤー１のＯＰＣ処理を示すフローチャート
【図６】実施例１に係るレイヤー２のＯＰＣ処理を示すフローチャート
【図７】実施例１に係る記録動作時の処理フローチャート
【図８】実施例２に係るパワー設定処理を示すフローチャート
【図９】実施例２に係る記録動作時の処理フローチャート
【図１０】実施例３に係る光ディスクのエリアフォーマットを示す図
【図１１】実施例３に係るパワー設定処理を示すフローチャート
【図１２】実施例３に係る記録動作時の処理フローチャート
【図１３】β値の算出方法を説明する図
【図１４】β値の近似直線と最適パワーＰｗｐの算出方法を説明する図
【図１５】Ｒ−ＯＰＣの実行方法を説明する図
【符号の説明】
【００８７】
１０３  レーザ駆動回路
１０４  レーザパワー調整回路
１１１  コントローラ
【図１】
2006164443.tif 000003
【図２】
2006164443.tif 000004
【図３】
2006164443.tif 000005
【図４】
2006164443.tif 000006
【図５】
2006164443.tif 000007
【図６】
2006164443.tif 000008
【図７】
2006164443.tif 000009
【図８】
2006164443.tif 000010
【図９】
2006164443.tif 000011
【図１０】
2006164443.tif 000012
【図１１】
2006164443.tif 000013
【図１２】
2006164443.tif 000014
【図１３】
2006164443.tif 000015
【図１４】
2006164443.tif 000016
【図１５】
2006164443.tif 000017